(57)【要約】【課題】汎用性の高いバックルを提供する。【解決手段】一部に切り欠きを設けた環状体と、一部に切り欠きを設けた別の環状体の、切り欠き部から、被係合物を差し入れ、各々の環状体を、切り欠きの位置が隣接する環状体と同位置にならないように重ねることにより、係合を完了するバックル。【選択図】図１
2016077886.tif 000002
【特許請求の範囲】
【請求項１】
一部に切り欠きを設けた環状体と、一部に切り欠きを設けた別の環状体の切り欠き部から、被係合物を差し入れ、各々の環状体を、切り欠きの位置が隣接する環状体と同位置にならないように重ねることにより、係合を完了するバックル。
【請求項２】
前記一部に切り欠きを設けた環状体と、一部に切り欠きを設けた別の環状体に、係合が完了した際にかみ合うように凹凸を設けた、請求項１に記載の方法によるバックル。
【請求項３】
前記一部に切り欠きを設けた環状体と、一部に切り欠きを設けた別の環状体のほかに、一部に切り欠きを設けた環状体を、前記一部に切り欠きを設けた環状体と、一部に切り欠きを設けた別の環状体と同様の用に供する、請求項１に記載の方法によるバックル。
【請求項４】
一部に切り欠きを設けた環状体と、一部に切り欠きを設けた別の環状体と、ベース部品とを、連結軸をもって、開閉動可能なように連結していることを特徴とする、請求項１に記載の方法によるバックル。
【発明の詳細な説明】
【技術分野】
【０００１】  本発明は、帯状体または紐状体を別の帯状体などの被係合物に接続するためのバックルに関する。
【背景技術】
【０００２】  従来、帯状体に雌部を接続し、他方の帯状体に雄部を接続し、雄部と雌部とを、その部材の弾性によりアンダーカットに挿通させて係合させるバックルがある。また、嵌合部を備えた雌雄部材の組み合わせに於いて、雄部材を固定部材と可動部材とで構成し、固定部材の形状が、先端材と後端材と側材による枠と、その枠内に孔と底材を設け、枠端に突起付き屈伸部による雌部材との嵌合部を備えてなり、可動部材の形状が、先端材と中央材と後端材と側材による枠と、その枠内に複数の孔を設けてなり、固定と可動の両部材をピン孔とピンで形成したヒンジで回動自在に接続し、雌部材が胴体と接続材でなると共に、その胴体内部の空洞に係合用の切り込みと側面孔を設け、雌雄部材の屈伸部が雌部材の側面孔より突出し、突起が切込みに達すると両者は係合し、屈伸部の背中を内側に押して切込みから突起を押し出すと両者の係合が解ける構成としたことを特徴とする帯状体の長さ調節機能付接続具が知られている（特許文献１参照）。
【先行技術文献】
【特許文献】
【０００３】
【特許文献１】特許第３７９００９４号公報
【発明の開示】
【発明が解決しようとする課題】
【０００４】  そのために、次のような問題があった
（イ）被接続体に取り付けた、雄部または雌部に対し、他方の被接続体である帯状体には、対応する雄部または雌部を取り付けておく必要があった。
（ロ）雄部または雌部を帯状体に取り付けるにあたり、取り付け部に対して帯状体の端部を挿通させる必要があった。
（ハ）係合の際に部材の弾性を利用するために、プラスチック等の弾性を有する材料でしか作成できなかった。
本発明は、これらの問題点を解決するためになされたものである。
【課題を解決するための手段】
【０００５】  上記問題点を解決するために、一部に切り欠きを設けた環状体と、一部に切り欠きを設けた別の環状体の切り欠き部から、被係合物である、帯状体または紐状体を差し入れ、各々の環状体を、切り欠きの位置が、隣接する環状体と同位置にならないように重ねることにより、被係合物にあらかじめ部品を付けておく必要なく係合を完了することを可能としたバックルの構造である。【０００６】  バックルを構成する環状体に、帯状体又は紐状体のような係合物を、挿通する孔構造を追加することにより、容易に係合物同士を係合することができる。
また、孔構造の大きさを変更することにより、被係合物である帯状体の最適な幅を変更することができる。【０００７】構造上、弾性を利用しない為、幅広い材質を利用して作成することができる。【０００８】  一部に切り欠きを設けた環状体と、一部に切り欠きを設けた別の環状体は同一形状を反転して使用するようにも作成できるので、製造のコストを削減することができる。【０００９】  環状体は一部が開口しており、連結が完了した状態で帯状体が引張られるなどの負荷が生じたとき、各々の環状体には開口部と反対側の部分に大きく負荷が集中してしまう、そのため、材料の強度の不足が懸念される場合などには、他の環状体との接触面に凹凸を設け、各々の環状体の凹凸がかみ合うことにより、構造体の強度を上げることができる。【００１０】  前記環状体と、一部に切り欠きを設けた別の環状体のほかに、一部に開口部を備えた環状体を前記環状体と、一部に切り欠きを設けた別の環状体と同様の用に供するように加えることによりバックルの強度を向上することができる。【００１１】  一部に切り欠きを設けた環状体と、一部に切り欠きを設けた別の環状体と、ベース部品とを、連結軸をもって、開閉動可能なように連結することにより、バックルのデザイン性及び使用感を高めることができ、ベース部品を直接、構造体に作成又は、取り付けることにより、帯状体又は紐状体を構造体に係合する為のバックルとしても使用できる。
【発明を実施するための最良の形態】
【００１２】  図１において、一部に開口部を備えた環状体（１）と、前記環状体の開口部と対をなす位置に開口部を備えた、一部に切り欠きを設けた別の環状体（２）とからなるバックルは、被係合物（３）と、被係合物（４）とを係合するにあたり、あらかじめ係合の基となる、どちらかの被係合物（３）を、一部に切り欠きを設けた環状体（１）と、一部に切り欠きを設けた別の環状体（２）の被係合物を通すための孔構造に挿通し接続しておき、開状態とした一部に切り欠きを設けた環状体（１）と、一部に切り欠きを設けた別の環状体（２）の、各々の開口部より、他方の被係合物（４）を差し入れたのち、一部に切り欠きを設けた環状体（１）と、一部に切り欠きを設けた別の環状体（２）を閉状態にすることにより係合を完了する。
ここで云う開状態とは、バックルを構成する一部に切り欠きを設けた環状体（１）と、一部に切り欠きを設けた別の環状体（２）が密着して重なっておらず、各々の開口部に被係合物を差し入れる隙間が生じている状態を云い、閉状態とは、一部に切り欠きを設けた環状体（１）と、一部に切り欠きを設けた別の環状体（２）が密着して重なっており、各々の開口部から被係合物を差し入れ、または差し出しできない状態のことを云う。【００１３】  図１に示される斜視図においては、一部に切り欠きを設けた環状体（１）と、一部に切り欠きを設けた別の環状体（２）が閉状態になった際に、一部に切り欠きを設けた環状体（１）と、一部に切り欠きを設けた別の環状体（２）にそれぞれ設けた、凹（１３）と凸（１４）がかみ合うように凹凸形状が付加されている。【００１４】  図２に示される構成例では、バックルを構成する部品一つに対し、一部に開口部を設けた環状体を２つ配置している。【００１５】  図３に示される構成例では、開口部の位置が重ならないように、開口部を配置した環状体が３つで構成されている。【００１６】  図４に示される実施例では、一部開口部を備えた環状体（７）と、前記環状体の開口部と対をなす位置に開口部を備えた、一部に切り欠きを設けた別の環状体（８）と、ベース部品（１０）とを、連結軸（９）をもって、開閉動可能なように連結し、ベース部品（１０）に被係合物（１１）を取り付ける、後に開状態にした環状体（７）（８）の開口部に被係合物（１２）を交互に差し入れることにより挿通させ、環状体（７）（８）を閉状態にすることで接続する。
ここでは、ベース部品にあらかじめ被係合物である帯状体を取り付けることにより係合を開始するが、ベース部品は必ずしも被係合物を取り付ける形状でなくてもよく、被係合物と一体化していても、環状体を開閉動可能なように連結できればよい。
【図面の簡単な説明】
【００１７】
【図１】  本発明の実施例の斜視図。
【図２】  本発明の部品構成の斜視図。
【図３】  本発明の部品構成の斜視図。
【図４】  本発明の実施例の斜視図。
【符号の説明】
【００１６】  １，２，５，６，７，８，２５，２６，２７  環状体
３，４，１１，１２  係合物
９  連結軸
１０  ベース部品
１３，１５，１７，１９，２１，２３  凹形状
１４，１６，１８，２０，２２，２４  凸形状
【図１】
2016077886.tif 000003
【図２】
2016077886.tif 000004
【図３】
2016077886.tif 000005
【図４】
2016077886.tif 000006